【手続補正書】
【提出日】平成20年7月9日(2008.7.9)
【手続補正１】
【補正対象書類名】特許請求の範囲
【補正対象項目名】全文
【補正方法】変更
【補正の内容】
【特許請求の範囲】
【請求項１】
記録データに基づいて記録媒体に記録を行うインクジェット記録装置において、
各々、記録媒体の記録幅全域にわたって複数の記録要素を備え、前記複数の記録要素をライン単位に駆動し記録データを記録する複数のライン型の記録ヘッドと、
記録データの各ビットについて記録するか否かを定める複数ビットで形成される間引きパターンを生成する間引きパターン生成手段と、
前記間引きパターンを所定ビットずらすシフト処理手段と、
各記録ヘッドについて、前記シフト処理手段により所定ビットずらした間引きパターンと記録データとの組み合わせによって記録データを間引いた記録パターンを生成する間引き処理手段とを備え、
前記間引き処理手段で生成された記録パターンにより各記録ヘッドを駆動することを特徴とするインクジェット記録装置。
【請求項２】
前記間引きパターン生成手段は、単位間引きパターンをライン方向に複数配列することにより一ライン分の間引きパターンを生成することを特徴とする、請求項１に記載のインクジェット記録装置。
【請求項３】
前記単位間引きパターンは連続する複数ビットを備え、
当該各ビットは記録データの各ビットについて記録するか否かを設定することを特徴とする、請求項２に記載のインクジェット記録装置。
【請求項４】
前記間引きパターン生成手段は、記録デューティー値に応じた複数の一ライン分の間引きパターンを備え、前記記録デューティー値をパラメータとして前記複数の一ライン分の間引きパターンを選択することを特徴とする、請求項１乃至３のいずれかに記載のインクジェット記録装置。
【請求項５】
前記シフト処理手段は、
前記間引きパターン生成手段で生成した一つの間引きパターンを、前記複数の記録ヘッドの各記録ヘッドについてそれぞれ異なる初期シフト量でずらして記録ヘッド間のシフトを設定する初期シフト処理手段と、
前記間引きパターン生成手段で生成した一つの間引きパターン又は前記初期シフト処理手段でシフトされた間引きパターンを、前記複数のヘッドの同一の記録ヘッドについて、ラインを単位としてライン方向にずらしてライン間のシフトを設定するラインシフト処理手段とを備えることを特徴とする、請求項１乃至４の何れかに記載のインクジェット記録装置。
【請求項６】
前記初期シフト処理手段は、複数ある記録ヘッドにおいて、各記録ヘッド毎に複数ビット分の間引きパターンをライン方向に所定ビットシフトさせる演算手段を備えることを特徴とする、請求項５に記載のインクジェット記録装置。
【請求項７】
前記初期シフト処理手段は、間引きパターン生成手段において、各記録ヘッド毎に単位間引きパターンのライン上における配置位置をライン方向に所定ビットシフトさせ、当該位置からライン方向に複数配列することを特徴とする、請求項５に記載のインクジェット記録装置。
【請求項８】
前記ラインシフト処理手段は、同一ヘッドの次ラインの記録において、１ライン分の間引きパターンをライン方向に所定ビットシフトさせる演算手段を備え、
同一ヘッドにおける１ライン分の間引きパターンをライン毎に異ならせることを特徴とする、請求項５に記載のインクジェット記録装置。
【請求項９】
記録媒体の記録幅全域にわたって複数の記録要素を備え、前記複数の記録要素をライン単位に駆動し記録データを記録するライン型の記録ヘッドを複数個用いて、記録データに基づいて記録媒体に記録を行うインクジェット記録方法において、
１ライン毎の記録データにおける隣接記録ドット数をカウントし、前記隣接記録ドット数が間引き閾値より大きい場合、生成された間引きパターンと記録データを組み合わせることによって間引き処理を行い、記録データを生成することを特徴とするインクジェット記録装置の記録データ処理方法。
【請求項１０】
記録媒体の記録幅全域にわたって複数の記録要素を備え、前記複数の記録要素をライン単位に駆動し記録データを記録するライン型の記録ヘッドを複数個用いて、記録データに基づいて記録媒体に記録を行うインクジェット記録方法において、
記録ヘッド毎に複数ビット分の間引きパターンをライン方向に所定ビットシフトさせ、
当該間引きパターンに記録データを組み合わせることで間引き処理を行い、
記録データにおける間引きパターンを記録ヘッド毎に異ならせることを特徴とするインクジェット記録装置の記録データ処理方法。
【請求項１１】
記録媒体の記録幅全域にわたって複数の記録要素を備え、前記複数の記録要素をライン単位に駆動し記録データを記録するライン型の記録ヘッドを複数個用いて、記録データに基づいて記録媒体に記録を行うインクジェット記録方法において、
前記複数の記録ヘッドに亘る複数ビット分を含む間引きパターンのブロックを、ライン方向に所定ビットシフトさせる第１のシフト、及び、同一ヘッドの次ラインの記録において、前記間引きパターンのブロックをライン方向に所定ビットシフトさせる第２のシフトのシフト処理を行い、
当該シフト処理で得た間引きパターンに記録データを組み合わせることで間引き処理を行い、
記録データにおける間引きパターンを記録ヘッド毎に異ならせることを特徴とするインクジェット記録装置の記録データ処理方法。
【手続補正２】
【補正対象書類名】明細書
【補正対象項目名】００２７
【補正方法】変更
【補正の内容】
【００２７】
この間引き閾値処理は、１ライン毎の記録データにおける隣接記録ドット数をカウントし、隣接記録ドット数と予め設定しておいた間引き閾値とを比較し、隣接記録ドット数が間引き閾値より大きい場合には、生成された間引きパターンと記録データを組み合わせることによって間引き処理を行う。
【手続補正３】
【補正対象書類名】明細書
【補正対象項目名】００５３
【補正方法】変更
【補正の内容】
【００５３】
はじめに、間引き閾値処理11について説明する。Duty制御処理10において、間引き閾値処理11は、記録データに基づいてその記録データについて間引き処理を行うか否かを判定する処理であり、ライン上に配列した記録データにおいて、記録ドットの連続性に基づいて判定を行う。間引き閾値処理11による判定は、入力された記録データについて、１ライン毎の記録データにおける隣接記録ドット数をカウントし、この隣接記録ドット数を予め設定しておいた間引き閾値と比較することで行う。隣接記録ドット数が間引き閾値より大きい場合には記録ドットが密であるとして、間引き処理を行うと判定する。間引き閾値処理11はこの判定に基づいて、間引き処理14に記録データを送り、間引きパターンを適用させて間引き処理を行い、間引き後の記録データを記録処理15に送って記録を行う。
【手続補正４】
【補正対象書類名】明細書
【補正対象項目名】００５４
【補正方法】変更
【補正の内容】
【００５４】
これに対して、隣接記録ドット数が間引き閾値より小さい場合には記録ドットが疎であるとして、間引き処理を行わないと判定する。間引き閾値処理11はこの判定に基づいて、記録データを直接記録処理15に送って記録を行う。
【手続補正５】
【補正対象書類名】明細書
【補正対象項目名】００６１
【補正方法】変更
【補正の内容】
【００６１】
間引きパターン生成処理12は単位間引きパターン設定レジスタ12aから単位間引きパターンを読み出し、この単位間引きパターンをライン方向に並べることで１ライン分の間引きパターンを生成する。単位間引きパターン設定レジスタ12aは、記録データのDuty値に基づいて読み出す。記録データのDuty値は、用紙やインク等による乾燥性、色の再現性等に応じて定めることができ、用紙やインクに応じて予め定めることができるほか、利用者が任意に設定してもよい。
【手続補正６】
【補正対象書類名】明細書
【補正対象項目名】００７１
【補正方法】変更
【補正の内容】
【００７１】
間引き閾値処理11を繰り返すことで全記録データについて間引きの必要性を判断し、また、ラインシフト処理13B、間引き処理14、及び記録処理15を繰り返すことで、全記録データについて用紙の搬送方向の規則的な抜けを防ぐ。
【手続補正７】
【補正対象書類名】明細書
【補正対象項目名】００７８
【補正方法】変更
【補正の内容】
【００７８】
Duty制御演算部20Aは、図５中の間引き閾値処理11，間引きパターン生成処理12，初期シフト処理13A，ラインシフト処理13Bに対応する演算を行う。
【手続補正８】
【補正対象書類名】明細書
【補正対象項目名】００８７
【補正方法】変更
【補正の内容】
【００８７】
50％から100％の範囲において5％刻みで制御する場合、ASIC等の内部回路に20bitの間引きパターンを設定するレジスタを持つ。このレジスタには図７に示すようなそれぞれの記録Duty値にあった間引きパターンが設定される。この20bitの間引きパターンは、記録したいDuty値を設定した際、ファームウェアによって、単位間引きパターン設定レジスタ12aに設定される。
【手続補正９】
【補正対象書類名】明細書
【補正対象項目名】００９８
【補正方法】変更
【補正の内容】
【００９８】
S2で計数した隣接記録ドット数と、S1で取得した間引き閾値とを比較する。この比較によって、間引き処理を行うか否かの判定を行う(S3)。
【手続補正１０】
【補正対象書類名】明細書
【補正対象項目名】００９９
【補正方法】変更
【補正の内容】
【００９９】
間引き処理を行う場合には、間引きパターンを定め(S4)、定めた間引きパターンと記録データとを合成して間引き処理を行い(S5)、合成した記録データをヘッドに転送する（S6）。S3の工程において、間引き処理を行わないと判定した場合には、間引き処理を行うことなく記録データをヘッドに転送する（S6）。
【手続補正１１】
【補正対象書類名】明細書
【補正対象項目名】０１０２
【補正方法】変更
【補正の内容】
【０１０２】
記録メモリから制御回路を介してヘッドへ記録データが転送される際に、ヘッド１ライン分の記録データ転送において、隣接するドット数を計数手段11Aaで計数する。記録データの隣接記録ドット数を計数する計数手段11Aaは、例えば”111110000110”という記録データを数える時、”１”を５回数えた後、次に現れる”０”で計数手段11Aaをリセットする。その後、”０”が続くと計数手段11Aaは計数を停止したままとする。その後、”１”を２回数えて”０”でリセットする。ここで、”１”は記録を行い”０”は記録を行わないデータである。
【手続補正１２】
【補正対象書類名】明細書
【補正対象項目名】０１０３
【補正方法】変更
【補正の内容】
【０１０３】
計数手段11Aaは、上記のようにして隣接する記録ドット数を計数する。比較手段11Abは計数手段11Aaで計数した計数値と、間引き閾値設定レジスタ11aから読み出した間引き閾値とを比較し、計数値が間引き閾値以上であれば、間引き処理を指令する。
【手続補正１３】
【補正対象書類名】明細書
【補正対象項目名】０１０５
【補正方法】変更
【補正の内容】
【０１０５】
図１２は、間引き閾値処理を説明するための図である。図１２（ａ）において、濃い地模様の部分は記録を行い部分を表し、薄い地模様の部分は記録を行わない部分を表している。搬送方向の最下方に示すラインは、間引く閾値を“７以上”に設定した場合を示しており、実質的に間引きを行わない例となっている。このラインに対して、搬送方向の上方に向かって順に間引く閾値を“６”，“５”，“４”，“３”に設定して間引き処理を行った例を示している。記録を行う部分に対して間引き処理を適用すると、間引きパターンに応じて記録データが間引かれる。記録部分中で白抜きとなった箇所は、間引きによって記録が成されなかったビット部分を示している。
【手続補正１４】
【補正対象書類名】明細書
【補正対象項目名】０１０６
【補正方法】変更
【補正の内容】
【０１０６】
つまり、図１２（ａ）において、白抜き部分をデータ無しの部分とし、間引き閾値を例えば”４”と設定すると、搬送横方向において隣接するドット数が３ドット以下の記録データは間引き処理を行なわず、４ドット以上の記録データについて間引き処理を行う。
【手続補正１５】
【補正対象書類名】明細書
【補正対象項目名】０１２８
【補正方法】変更
【補正の内容】
【０１２８】
第１の形態では、図１４に示すように、単位間引きパターン設定レジスタ12aから選択した単位間引きパターンをライン方向に配列することによって、１ライン分間引きパターン処理12Aを行う。
【手続補正１６】
【補正対象書類名】明細書
【補正対象項目名】０１３１
【補正方法】変更
【補正の内容】
【０１３１】
第２の形態では、図１５に示すように、単位間引きパターン設定レジスタ12aから選択した単位間引きパターンを、初期シフト量設定レジスタ12bに設定されている初期シフト量に基づいてシフトさせて開始位置をずらし、この開始位置から、単位間引きパターンをライン方向に配列することによって、１ライン分の間引きパターンを生成する。図１５では、この間引きパターンに生成処理と初期シフト処理を合わせて間引きパターン処理12ABとしている。
【手続補正１７】
【補正対象書類名】明細書
【補正対象項目名】０１３３
【補正方法】変更
【補正の内容】
【０１３３】
第３の形態では、図１６に示すように、単位間引きパターン設定レジスタ12aから複数の単位間引きパターンを選出し、これら複数の単位間引きパターンのライン方向の配列順序をランダムに変えながら間引きパターンを生成するものであり、初期シフト処理及びラインシフト処理を同時に行いながらライン間引きパターンを生成するものである。
【手続補正１８】
【補正対象書類名】図面
【補正対象項目名】図３
【補正方法】変更
【補正の内容】
【図３】
2007021950.tif 000001